(57)【要約】【課題】ゲートの不正通過を防ぎながら、旅券の正当な所持者が円滑にゲートを通過することが可能なゲートシステムおよびゲート通過の制御方法を提供する。【解決手段】照合装置１００において、パスポートリーダ１０３によりパスポートＰから顔画像が読み取られ、カメラ１０１ｂ、１０８により渡航者Ｔの顔画像が撮像される。パスポートリーダ１０３で読み取られた顔画像とカメラ１０１ｂ、１０８で撮像された顔画像とが照合され、両顔画像が互いに一致する場合に、これら顔画像の両方または何れか一方が参照顔画像に設定される。ゲート４０のカメラ３１４、３２４によって撮像された顔画像と参照顔画像とが照合され、ゲート４０に進む者のゲート通過の可否が決定される。【選択図】図１
2016053896.tif 000002
【特許請求の範囲】
【請求項１】
旅券所持者の本人確認結果によりゲートの通過可否を決定するゲートシステムであって、
旅券に配された記憶媒体から第１の顔画像を含む個人情報を読み取る読取部と、
前記読取部に向き合う者を撮像して第２の顔画像を取得する第１の撮像部と、
前記ゲートに進む者を撮像して第３の顔画像を取得する第２の撮像部と、
前記読取部によって読み取られた前記第１の顔画像と前記第１の撮像部によって取得された前記第２の顔画像とを照合し、前記第１の顔画像と前記第２の顔画像が互いに一致する場合に、少なくとも前記第１の顔画像と前記第２の顔画像の何れか一つを参照顔画像に設定し、前記第２の撮像部によって取得された第３の顔画像と前記参照顔画像とを照合して、前記ゲートに進む者の前記ゲート通過の可否を決定する制御部と、を有する、
ことを特徴とするゲートシステム。
【請求項２】
前記ゲートは、通路を遮る開閉可能な遮断機構を備え、
前記制御部は、前記ゲートに進む者が前記ゲートを通過することを許容する場合に、前記遮断機構を開放する、請求項１に記載のゲートシステム。
【請求項３】
前記ゲートは、前記ゲートに進む者が前記ゲートを通過することを拒否することを報知するためのゲート報知部を備え、
前記制御部は、前記ゲートに進む者が前記ゲートを通過することを拒否する場合に、前記ゲート報知部を作動させる、請求項１または２に記載のゲートシステム。
【請求項４】
前記第１の撮像部は、前記読取部に向き合う者を異なるアングルで撮像する複数のカメラを備え、
前記制御部は、前記複数のカメラによってそれぞれ撮像された前記第２の顔画像と前記読取部によって読み取られた前記第１の顔画像とを照合する、請求項１ないし３の何れか一項に記載のゲートシステム。
【請求項５】
前記制御部は、前記複数のカメラによってそれぞれ撮像された前記第２の顔画像の何れかが前記第１の顔画像と一致する場合に、前記第１の顔画像と一致した前記第２の顔画像とともに、前記第１の顔画像と一致しなかった他のアングルの前記第２の顔画像を、前記参照顔画像に設定する、請求項４に記載のゲートシステム。
【請求項６】
前記複数のカメラの一つが、前記読取部の周辺に配置されている、請求項４または５に記載のゲートシステム。
【請求項７】
前記読取部に向き合う者に所定の情報を通知する通知部を備え、
前記制御部は、前記読取部によって読み取られた前記第１の顔画像と前記第１の撮像部によって取得された前記第２の顔画像とが互いに一致しなかった場合に、前記通知部を介して、対応方法に関する情報を前記読取部に向き合う者に通知する、請求項１ないし６の何れか一項に記載のゲートシステム。
【請求項８】
前記第１の顔画像と前記第２の顔画像の照合結果を前記読取部から離れた位置においても把握可能とする報知部を備え、
前記制御部は、前記読取部によって読み取られた前記第１の顔画像と前記第１の撮像部によって取得された前記第２の顔画像とが互いに一致しなかったことに応じて、前記報知部を動作させる、請求項１ないし７の何れか一項に記載のゲートシステム。
【請求項９】
前記読取部は、入口と出口を有する閉領域に配置され、
前記ゲートは、前記閉領域の前記出口に配置され、
複数の前記読取部に対して一つのゲートが割り当てられるように、前記読取部と前記ゲートが前記閉領域に設置される、請求項１ないし８の何れか一項に記載のゲートシステム。
【請求項１０】
前記閉領域は、レーン規制がなく係員がエリア内を自由に歩いて対応可能に構成される、請求項１ないし９の何れか一項に記載のゲートシステム。
【請求項１１】
ネットワークを通じて他のゲートシステムと通信可能な通信部と、
記憶部と、を備え、
前記制御部は、
前記第１の顔画像と一致した前記第２の顔画像を、前記旅券を特定可能な特定情報とともに、前記記憶部に記憶し、さらに、前記通信部を介して、前記第２の顔画像と前記特定情報を他のゲートシステムに送信し、
前記通信部を介して前記他のゲートシステムから当該他のゲートシステムで撮像された前記第２の顔画像と当該他のゲートシステムで読み取られた前記特定情報とを受信した場合に、受信した前記第２の顔画像と前記特定情報を前記記憶部に記憶し、
前記第１の撮像部によって撮像された前記第２の顔画像を、前記読取部が前記旅券を読み取って取得した前記第１の顔画像とともに、前記記憶部に記憶された当該旅券に対応する前記第２の顔画像と照合して、前記参照顔画像の設定の可否を判定する、請求項１ないし１０の何れか一項に記載のゲートシステム。
【請求項１２】
旅券所持者の本人確認結果によりゲートの通過可否を決定するゲートシステムであって、
旅券に配された記憶媒体から生体情報を含む個人情報を読み取る読取部と、
前記読取部に向き合う者の生体情報を取得する第１の取得部と、
前記ゲートに進む者の生体情報を取得する第２の取得部と、
前記読取部によって読み取られた第１の生体情報と前記第１の取得部によって取得された第２の生体情報とを照合し、前記第２の生体情報と前記第１の生体情報が互いに一致する場合に、少なくとも前記第１の生体情報と前記第２の生体情報の何れか一つを参照生体情報に設定し、前記第２の取得部によって取得された第３の生体情報と前記参照生体情報とを照合して、前記ゲートに進む者の前記ゲート通過の可否を決定する制御部と、を有する、
ことを特徴とするゲートシステム。
【請求項１３】
旅券所持者の本人確認結果によりゲートの通過可否を決定するゲート通過の制御方法であって、
旅券に配された記憶媒体から個人情報を読み取って第１の顔画像を取得し、
前記個人情報の読取動作に前記旅券を呈する者を撮像して第２の顔画像を取得し、
前記第１の顔画像と前記第２の顔画像とを照合し、前記第１の顔画像と前記第２の顔画像が互いに一致する場合に、少なくとも前記第１の顔画像と前記第２の顔画像の何れか一つを参照顔画像に設定し、
前記ゲートに進む者を撮像して第３の顔画像を取得し、
前記第３の顔画像と前記参照顔画像とを照合して、前記ゲートに進む者の前記ゲート通過の可否を決定する、
ことを特徴とするゲート通過の制御方法。
【発明の詳細な説明】
【技術分野】
【０００１】
本発明は、旅券に保持された情報に基づいて、本人かどうかを確認し、正規の旅券所持者にゲートを通過させるゲートシステムおよびゲート通過の制御方法に関する。
【背景技術】
【０００２】
出入国の審査では、審査官が、旅券に貼付された顔写真と審査を受ける者の顔とを比較対照して、審査を受ける者が旅券の正当な所持者であることを確認する。この作業には比較的時間が掛かるため、出入国の審査を自動化するゲートシステムが提案されている。
【０００３】
たとえば、特許文献１には、通行券の発行を利用した本人確認の手法が提案されている。この手法では、旅券に記憶された顔画像が通行券発行機によって読み取られる。また、旅券を所持する者の顔画像が通行券発行機によって撮像される。こうして取得された２つの顔画像が照合され、両者が一致する場合に、通行券発行機から通行券が発行される。発行された通行券をゲートに投入することにより、ゲートが開かれ通行可能となる。
【０００４】
また、特許文献１には、通行券の発行を利用することなく、ゲートにおいて顔画像を取得して、本人確認を行う手法も開示されている。この手法では、ゲートで撮像された顔画像が旅券から読み取られた顔画像に一致する場合にゲートが開かれる。
【先行技術文献】
【特許文献】
【０００５】
【特許文献１】特開２００２−８０７０号公報
【発明の概要】
【発明が解決しようとする課題】
【０００６】
上記手法のうち、通行券を発行する手法では、発行された通行券が他人に手渡されることにより、ゲートの不正通過が可能となる。ゲートで顔照合を行う手法では、このような不正通過が防がれ得る。しかしながら、ゲートで顔照合を行う手法では、旅券の正当な所持者であっても、加齢等の原因によって、顔画像が不一致とされるケースが起こり得る。このため、ゲートの通過効率が低下し、ゲートに混雑が生じることが懸念される。
【０００７】
かかる課題に鑑み、本発明は、ゲートの不正通過を防ぎながら、旅券の正当な所持者が円滑にゲートを通過することが可能なゲートシステムおよびゲート通過の制御方法を提供することを目的とする。
【課題を解決するための手段】
【０００８】
本発明の第１の態様は、旅券所持者の本人確認結果によりゲートの通過可否を決定するゲートシステムに関する。本態様に係るゲートシステムは、旅券に配された記憶媒体から第１の顔画像を含む個人情報を読み取る読取部と、前記読取部に向き合う者を撮像して第２の顔画像を取得する第１の撮像部と、前記ゲートに進む者を撮像して第３の顔画像を取得する第２の撮像部と、前記読取部によって読み取られた前記第１の顔画像と前記第１の撮像部によって取得された前記第２の顔画像とを照合し、前記第１の顔画像と前記第２の顔画像が互いに一致する場合に、少なくとも前記第１の顔画像と前記第２の顔画像の何れか一つを参照顔画像に設定し、前記第２の撮像部によって取得された第３の顔画像と前記参照顔画像とを照合して、前記ゲートに進む者の前記ゲート通過の可否を決定する制御部と、を有する。
【０００９】
第１の態様において、「前記読取部に向き合う」とは、必ずしも読取部に顔が向けられている必要はなく、旅券を読取部に読み取らせるために読取部に接近した状態にあることを意味する。また、「ゲートに進む者」とは、必ずしも、ゲートに向かって歩を進めている必要はなく、ゲート付近で一時的に立ち止まる場合等、ゲートに進みつつある状況にある者を意味する。
【００１０】
本発明の第２の態様は、旅券所持者の本人確認結果によりゲートの通過可否を決定するゲートシステムに関する。本態様に係るゲートシステムは、旅券に配された記憶媒体から生体情報を含む個人情報を読み取る読取部と、前記読取部に向き合う者の生体情報を取得する第１の取得部と、前記ゲートに進む者の生体情報を取得する第２の取得部と、前記読取部によって読み取られた第１の生体情報と前記第１の取得部によって取得された第２の生体情報とを照合し、前記第２の生体情報と前記第１の生体情報が互いに一致する場合に、少なくとも前記第１の生体情報と前記第２の生体情報の何れか一つを参照生体情報に設定し、前記第２の取得部によって取得された第３の生体情報と前記参照生体情報とを照合して、前記ゲートに進む者の前記ゲート通過の可否を決定する制御部と、を有する。
【００１１】
本発明の第３の態様は、旅券所持者の本人確認結果によりゲートの通過可否を決定するゲート通過の制御方法に関する。本態様に係るゲート通過の制御方法は、旅券に配された記憶媒体から個人情報を読み取って第１の顔画像を取得し、前記個人情報の読取動作に前記旅券を呈する者を撮像して第２の顔画像を取得し、前記第１の顔画像と前記第２の顔画像とを照合し、前記第１の顔画像と前記第２の顔画像が互いに一致する場合に、少なくとも前記第１の顔画像および前記第２の顔画像の何れか一つを参照顔画像に設定し、前記ゲートに進む者を撮像して第３の顔画像を取得し、前記第３の顔画像と前記参照顔画像とを照合して、前記ゲートに進む者の前記ゲート通過の可否を決定する。
【発明の効果】
【００１２】
本発明によれば、読取部によって読み取られた第１の顔画像と第１の撮像部によって取得された第２の顔画像とが照合され、第１の顔画像と第２の顔画像が互いに一致する場合に、少なくとも第１の顔画像と第２の顔画像の何れか一つが参照顔画像に設定される。そして、ゲートに配された第２の撮像部によって取得された第３の顔画像と参照顔画像とが照合されて、ゲートに進む者のゲート通過の可否が決定される。このように、事前の本人確認によって設定された参照顔画像と、ゲートで取得された顔画像とが照合されて、ゲート通過の可否が決定されるため、旅券の正当な所持者のみがゲートを通過可能となる。よって、不正なゲートの通過を防止できる。また、旅券の正当な所持者は、予め、第１の顔画像と第２の顔画像が一致することの確認を経た後にゲートに進むため、ゲートにおいて取得された当該所持者の第３の顔画像と参照顔画像とが互いに一致する確率はかなり高くなり、通常は、ゲートの通過が許可される。よって、旅券の正当な所持者は、円滑に、ゲートを通過することができる。
【００１３】
このように、本発明によれば、ゲートの不正通過を防ぎながら、旅券の正当な所持者が円滑にゲートを通過することが可能なゲートシステムおよびゲート通過の制御方法を提供することができる。
【図面の簡単な説明】
【００１４】
【図１】図１は、実施の形態に係る審査エリアの構成を示す斜視図である。
【図２】図２は、実施の形態に係る審査エリアの構成と、係員および審査官の配置例を模式的に示す平面図である。
【図３】図３（ａ）は実施の形態に係る照合装置の構成を示す斜視図、図３（ｂ）、（ｃ）は、それぞれ、実施の形態に係る照合装置のヘッド部の構成を示す正面図である。
【図４】図４（ａ）、（ｂ）は、それぞれ、実施の形態に係るパスポートリーダの構成を示す平面図である。
【図５】図５（ａ）は実施の形態に係る総合装置の２つのカメラによる撮像アングルを模式的に示す図、図５（ｂ）、（ｃ）は、それぞれ、各アングルにおける撮像画像の例を模式的に示す図である。
【図６】図６は、実施の形態に係るゲート装置の構成を示す正面図である。
【図７】図７は、実施の形態に係るゲートシステムの構成を示すブロック図である。
【図８】図８（ａ）、（ｂ）は、それぞれ、実施の形態に係るゲートシステムの一部の構成を示すブロック図である。
【図９】図９（ａ）はブースサーバにおける本人確認処理を示すフローチャート、図９（ｂ）はゲートサーバにおける顔画像受信時の処理を示すフローチャートである。
【図１０】図１０（ａ）〜（ｃ）は、それぞれ、照合装置におけるヘッド部、通知部およびパスポートリーダの動作を示す図である。
【図１１】図１１（ａ）はゲートサーバにおけるフラッパーの開閉制御を示すフローチャート、図１１（ｂ）は渡航者がゲートを通過した際のゲートサーバにおける処理を示すフローチャートである。
【図１２】図１２は、実施の形態に係るゲート画面の構成を示す図である。
【図１３】図１３は、変更例１に係るブースサーバの構成を示す図である。
【図１４】図１４（ａ）は変更例１に係るブースサーバの顔画像の送信処理を示すフローチャート、図１４（ｂ）は変更例１に係るブースサーバの顔画像の受信処理を示すフローチャートである。
【図１５】図１５（ａ）、（ｂ）は変更例１に係る照合装置の本人確認処理を示すフローチャート、図１５（ｃ）は変更例１に係るブースサーバの顔画像の消去処理を示すフローチャートである。
【発明を実施するための形態】
【００１５】
以下、本発明の実施の形態について、図面を参照して説明する。本実施の形態において用いられるパスポートは、ＩＣチップを搭載したＩＣパスポートであって、一般にＥパスポートと呼ばれるものである。ＩＣチップには、所持者の国籍や名前、生年月日等、旅券面に記載された身分事項のほか、所持者の顔画像が記録されている。ＩＣパスポートは、従前のパスポートと同様、冊子型であるが、冊子中央に、ＩＣチップと通信用のアンテナを格納したカードが組み込まれている。
【００１６】
以下の実施の形態には、本発明を空港の出国ゲートシステムに適用した例が示されている。実施の形態において、パスポートＰおよびパスポートリーダ１０３が、それぞれ、特許請求の範囲に記載の「旅券」および「読取部」に対応する。また、パスポートＰから読み取られる顔画像が特許請求の範囲に記載の「第１の顔画像」に対応し、カメラ１０１ｂ、１０８によって撮像される顔画像が特許請求の範囲に記載の「第２の顔画像」に対応し、カメラ３１４、３２４によって撮像される顔画像が特許請求の範囲に記載の「第３の顔画像」に対応する。また、実施の形態では、ブースサーバ５００、６００の制御部５０１、６０１およびゲートサーバ７００の制御部７０１によって、特許請求の範囲の記載の「制御部」が実現されている。
【００１７】
まず、図１を参照して、出国審査を行うための審査エリアを説明する。
【００１８】
審査エリアは、複数のベルトポールパーティション１によって、入口１０、２０を有する２つの領域に区画されている。入口１０には、樽型の閉領域３０が続き、閉領域３０の出口にゲート４０が続いている。入口２０には、レーン２１が続いている。自動化されたゲートシステム（以下、「自動化ゲートシステム」という）によって出国審査を受けようとする渡航者は入口１０へと進み、出国審査を審査官により受けようとする渡航者は入口２０へと進む。子供や要介護者は、優先的に入口２０へ通される。
【００１９】
閉領域３０には、両側にそれぞれ顔照合ブース３１、３２が設けられている。これら顔照合ブース３１、３２には、それぞれ、照合装置１００が３台ずつ配置されている。照合装置１００では、パスポートに保持された情報の読み取りと、顔照合による本人確認が行われる。パスポートにはＩＣチップが配され、このＩＣチップにパスポート保有者の顔画像や個人情報、パスポートＩＤ等を含む情報が記憶されている。本人確認は、パスポートから読み取られた顔画像と照合装置１００により撮像された顔画像とが一致するか否かによって行われる。顔照合ブース３１、３２における本人確認の流れは、追って、図９（ａ）を参照して説明する。
【００２０】
閉領域３０内の入口１０付近には、ビデオ再生システム２００が配置されている。このビデオ再生システム２００により、自動化ゲートシステムの利用方法に関するガイダンスが放映される。渡航者は、適宜、入口１０外側付近の待合位置１１で、ビデオ再生システム２００から放映されるガイダンスを視聴する。閉領域３０には、さらに、レーン２１へと進む出口３３が設けられている。
【００２１】
ゲート４０は、２つのゲート装置３１０、３２０で構成されている。ゲート装置３１０、３２０では、ゲート４０に進む渡航者の顔画像が撮像され、再度、渡航者の本人確認が行われる。本人確認の結果に応じて、ゲート装置３１０、３２０のフラッパー（図１には図示せず）が開閉される。ゲート４０における本人確認とフラッパーの開閉制御の流れは、追って、図１１（ａ）を参照して説明する。
【００２２】
ゲート４０とレーン２１の奥にはカウンター５０が設けられている。ゲート４０奥側のカウンター５０にはゲート担当の審査官が割り当てられ、レーン２１奥側のカウンター５０にはレーン担当の審査官が割り当てられる。ゲート４０を通過した渡航者は、カウンター５０の前を通って出口６１へと進む。レーン２１を通過した渡航者はカウンター５０の前で審査官による出国審査を受けた後、出口６２へと進む。
【００２３】
次に、図２を参照して、審査エリアにおける係員の配置と渡航者の流れについて説明する。
【００２４】
図２に示すように、審査エリアには、審査官Ｅ１、Ｅ２と係員Ｍ１、Ｍ２が配置される。審査官Ｅ２は、レーン２１を通過する渡航者Ｔに対して出国審査を行う。自動化ゲートシステムで出国審査を受ける渡航者Ｔは、顔照合ブース３１、３２の何れか一つで本人確認を受けた後、ゲート４０へと進む。係員Ｍ１は、閉領域３０内で渡航者Ｔに対する補助を行い、自動化ゲートシステムによる出国審査によって不適とされた渡航者Ｔを、出口３３からレーン２１へと案内する。係員Ｍ２は、レーン２１を進む渡航者Ｔを監視する。
【００２５】
カウンター５０には、タッチパネルからなるゲートモニタ５１が配されている。審査官Ｅ１は、ゲートモニタ５１に表示された画面を参照ながら、ゲート４０を通過する渡航者Ｔを監視し、適宜、手動で、ゲート４０のフラッパーを開放する。審査官Ｅ１によるフラッパーの開閉については、追って図１２を参照して説明する。
【００２６】
次に、審査エリアの顔照合ブース３１、３２に配置された照合装置１００の構成と、ゲート４０に配置されたゲート装置３１０、３２０の構成について説明する。
【００２７】
まず、図３（ａ）〜図３（ｃ）を参照して、照合装置１００の構成について説明する。
【００２８】
図３（ａ）に示すように、照合装置１００は、ヘッド部１０１と、通知部１０２と、パスポートリーダ１０３と、テーブル１０４と、２つの壁１０５を備える。ヘッド部１０１は、中空のシャフト１０６によって、通知部１０２奥側の支持台１０７に支持されている。シャフト１０６内には、ヘッド部１０１へと続く配線が通っている。
【００２９】
図３（ｂ）に示すように、ヘッド部１０１には、照合装置１００の識別番号１０１ａが印字されている。識別番号１０１ａの下方には、カメラ１０１ｂが配置され、カメラ１０１ｂの周囲に表示ランプ１０１ｃが配置されている。表示ランプ１０１ｃは、赤色または青色に点灯する。図３（ｃ）は、表示ランプ１０１ｃが点灯したときの様子を模式的に示している。また、図３（ｂ）では、カメラ１０１ｂのレンズ部分のみが見えており、カメラ１０１ｂのその他の構成は、ヘッド部１０１内に収容されている。
【００３０】
通知部１０２は、文字盤を用いてメッセージを表示する。通知部１０２の中央上側にはカメラ１０８が配されている。図３（ａ）では、カメラ１０８のレンズ部分のみが見えており、カメラ１０８のその他の構成は、支持台１０７の内部に収容されている。また、テーブル１０４の中央に、検出面が上を向くようにして、パスポートリーダ１０３が配置されている。パスポートリーダ１０３は、左右がそれぞれ壁１０５によって覆われている。
【００３１】
図４（ａ）は、パスポートリーダ１０３の構成を示す図である。
【００３２】
図４（ａ）に示すように、パスポートリーダ１０３の上面には、読取領域１０３ａと、２つのランプ部１０３ｂが配されている。読取領域１０３ａ手前の領域１０３ｃには、読取領域１０３ａに対するパスポートＰの載置方法に関する説明が記載されている。渡航者Ｔは、この説明に従って読取領域１０３ａにパスポートＰを載せ、パスポートリーダ１０３にパスポートＰを読み取らせる。読取領域１０３ａの上面には、パスポートＰが載置されたことを検出するために、タッチセンサが配置されている。パスポートリーダ１０３は、非接触でパスポートＰのＩＣチップから情報を読み取るための周知の構成を備えている。
【００３３】
読取領域１０３ａにパスポートＰが載置されていない状態（以下、「待ち受け状態」と称する）では、ランプ部１０３ｂが点滅状態（間欠点灯）にある。待ち受け状態において、パスポートＰが読取領域１０３ａに載置されると、図４（ｂ）に示すように、ランプ部１０３ｂが点灯状態（連続点灯）となる。
【００３４】
ここで、図５（ａ）〜（ｃ）を参照して、照合装置１００に向き合う渡航者Ｔの顔画像がカメラ１０１ｂ、１０８によってどのように撮像されるかについて説明する。
【００３５】
図５（ａ）に示すように、ヘッド部１０１のカメラ１０１ｂは、撮像方向（アングル）が水平となるように配置されている。また、通知部１０２の上側に配置されたカメラ１０８は、撮像方向（アングル）が水平から所定角度だけ上側を向くように配置されている。通知部１０２の表示面も、カメラ１０８の撮像方向と同様に傾いている。カメラ１０１ｂ、１０８は、それぞれ、パスポートリーダ１０３に向き合う渡航者Ｔの顔を正面および下側から撮像する。カメラ１０１ｂ、１０８は、それぞれ、上下方向に異なるアングルで、パスポートリーダ１０３に向き合う渡航者Ｔの顔を撮像する。
【００３６】
図５（ｂ）、（ｃ）には、それぞれ、カメラ１０１ｂ、１０８によって撮像された渡航者Ｔの顔画像が模式的に示されている。これらの顔画像は、図５（ａ）のように渡航者ＴがパスポートＰの方向を見ているときのものである。この場合、渡航者Ｔの顔は、下側のカメラ１０８に略正対向し、上側のカメラ１０１ｂに対しては、顔正面からやや頭頂部側にずれた位置が対向する。このため、カメラ１０１ｂによって撮像された顔画像は、図５（ｂ）に示すように、顔がやや俯いた状態の顔画像となっている。また、カメラ１０８によって撮像された顔画像は、図５（ｃ）に示すように、略正面視の顔画像となっている。
【００３７】
図５（ａ）の場合と異なり、渡航者Ｔが正面方向を見ている場合には、渡航者Ｔの顔が上側のカメラ１０８に正対向するため、渡航者Ｔの正面視の顔画像がカメラ１０１ｂによって撮像される。また、下側のカメラ１０８には、渡航者Ｔの顔正面からやや顎側にずれた位置が対向するため、渡航者Ｔの顔を下斜めから見たときの顔画像がカメラ１０８によって撮像される。
【００３８】
次に、図６を参照して、ゲート装置３１０、３２０の構成について説明する。
【００３９】
ゲート装置３１０は、左右に並ぶ一対のゲート本体３１１、３１２と、右側のゲート本体３１１の奥部から上方向に延びる支柱３１３と、支柱３１３の上端に設置されたカメラ３１４と、カメラ３１４の上部に設置されたランプ３１５とを備える。ゲート本体３１１、３１２は、左右方向に所定の厚みを有し、互いに平行に配置されている。ゲート本体３１１、３１２の間のスペースが、渡航者Ｔの通路となっている。
【００４０】
ゲート本体３１１、３１２の内側には、鉛直方向に延びる回転軸３１１ａ、３１２ａが設けられている。これら回転軸３１１ａ、３１２ａに、通路を遮断するフラッパー３１１ｂ、３１２ｂが固定されている。図示しないモータによって回転軸３１１ａ、３１２ａが回転されると、フラッパー３１１ｂ、３１２ｂがそれぞれ奥方向に回転し、通路が開放される。ゲート本体３１１、３１２は、ベースＢ上に設置され、ベースＢの通路部分は傾斜面Ｂａとなっている。
【００４１】
カメラ３１４は、撮像方向が略水平となっており、ゲート装置３１０へと向かう渡航者Ｔの顔画像を撮像する。カメラ３１４は、標準的な伸長の大人の顔の高さに配置されている。カメラ３１４は、所定の視野角で対象領域を撮像する。カメラ３１４の上下方向の視野角は、渡航者Ｔの伸長差を十分にカバー可能な広さをもっている。ランプ３１５は、青色または赤色に点灯可能である。
【００４２】
ゲート装置３１０には、フラッパー３１１ｂ、３１２ｂが開放された際にゲート本体３１１、３１２間の通路を渡航者Ｔが通過することを検出するためのセンサ（図示せず）が設けられている。このセンサは、たとえば、発光部と受光部からなる光センサにより構成される。この場合、発光部と受光部の何れか一方がゲート本体３１１に設けられ、他方がゲート本体３１２に設けられる。
【００４３】
ゲート装置３２０は、ゲート装置３１０と同様の構成である。ゲート装置３２０は、左右に並ぶ一対のゲート本体３２１、３２２と、左側のゲート本体３２１の奥部から上方向に延びる支柱３２３と、支柱３２３の上端に設置されたカメラ３２４と、カメラ３２４の上部に設置されたランプ３２５とを備える。ゲート本体３２１、３２２の内側には、鉛直方向に延びる回転軸３２１ａ、３２２ａが設けられ、これら回転軸３１１ａ、３１２ａに通路を遮断するフラッパー３２１ｂ、３２２ｂが固定されている。ゲート装置３２０にも、ゲート装置３１０と同様に、渡航者Ｔの通過を検出するためのセンサ（図示せず）が設けられている。
【００４４】
次に、図７を参照して、ゲートシステムの全体構成について説明する。
【００４５】
審査エリアに配置された６つの照合装置１００は、審査エリア外の事務所に配置されたブースサーバ５００、６００によって制御される。また、審査エリアに配置されたゲート装置３１０、３２０とゲートモニタ５１は、事務所に配置されたゲートサーバ７００によって制御される。事務所には、さらに、ブースサーバ５００、６００およびゲートサーバ７００に対して情報の入出力を行うためのコンソール８０１と、スイッチングハブからなる事務所スイッチ８０２が設置されている。
【００４６】
ブースサーバ５００は、制御部５０１と、通信部５０２と、記憶部５０３を備える。制御部５０１はＣＰＵ等の演算処理ユニットを備え、記憶部５０３はハードディスクドライブや、ＲＯＭおよびＲＡＭ等の記憶素子を備える。制御部５０１は、記憶部５０３に記憶された制御プログラムに従って、顔照合ブース３１（図１参照）側の３つの照合装置１００を制御する。通信部５０２は、ＬＡＮケーブルで事務所スイッチ８０２に接続され、また、ＵＳＢで顔認証ユニット５０４に接続されている。顔認証ユニット５０４は、制御部５０１から入力された顔画像を処理して、後述の顔認証を行う。
【００４７】
ブースサーバ６００は、ブースサーバ５００と同様の構成となっている。ブースサーバ６００は、制御部６０１と、通信部６０２と、記憶部６０３を備える。制御部６０１は、記憶部６０３に記憶された制御プログラムに従って、顔照合ブース３２（図１参照）側の３つの照合装置１００を制御する。通信部６０２は、ＬＡＮケーブルで事務所スイッチ８０２に接続され、また、ＵＳＢで顔認証ユニット６０４に接続されている。顔認証ユニット６０４は、制御部６０１から入力された顔画像を処理して、後述の顔認証を行う。
【００４８】
ゲートサーバ７００は、ブースサーバ５００と同様の構成となっている。ゲートサーバ７００は、制御部７０１と、通信部７０２と、記憶部７０３を備える。制御部７０１は、記憶部７０３に記憶された制御プログラムに従って、ゲート４０（図１参照）の２つのゲート装置３１０、３２０と、カウンター５０（図２参照）のゲートモニタ５１を制御する。通信部７０２は、ＬＡＮケーブルで事務所スイッチ８０２に接続され、また、ＵＳＢで顔認証ユニット７０４に接続されている。顔認証ユニット７０４は、制御部７０１から入力された顔画像を処理して、後述の顔認証を行う。
【００４９】
審査エリアには、エリアスイッチ９０１と、ブース１ＰＯＥスイッチ９０２と、ブース２ＰＯＥスイッチ９０３と、ゲートＰＯＥスイッチ９０４が配されている。エリアスイッチ９０１は、スイッチングハブからなっている。ブース１ＰＯＥスイッチ９０２、ブース２ＰＯＥスイッチ９０３およびゲートＰＯＥスイッチ９０４は、それぞれ、Ethernetの通信ケーブルを利用して給電するＰＯＥ（Power Over Ethernet：Ethernetは登録商標）に対応したネットワークスイッチからなっている。
【００５０】
エリアスイッチ９０１は、ＬＡＮケーブルで事務所スイッチ８０２に接続されている。ブース１ＰＯＥスイッチ９０２は、顔照合ブース３１（図１参照）の３つの照合装置１００にＬＡＮケーブルで接続され、ブース２ＰＯＥスイッチ９０３は、顔照合ブース３２（図１参照）の３つの照合装置１００にＬＡＮケーブルで接続されている。ゲートＰＯＥスイッチ９０４は、ゲート４０（図１参照）の２つのゲート装置３１０、３２０にＬＡＮケーブルで接続されている。また、ブース１ＰＯＥスイッチ９０２、ブース２ＰＯＥスイッチ９０３およびゲートＰＯＥスイッチ９０４は、エリアスイッチ９０１にＬＡＮケーブルで接続されている。さらに、カウンター５０（図２参照）のゲートモニタ５１がＬＡＮケーブルでエリアスイッチ９０１に接続されている。
【００５１】
図８（ａ）は、ブース１ＰＯＥスイッチ９０２と、一つの照合装置１００との接続形態を示している。ブース１ＰＯＥスイッチ９０２は、照合装置１００に配されたカメラ１０１ｂ、１０８（図３（ａ）、図３（ｂ）参照）と、ランプ制御部１０９と、通知制御部１１０と、パスポートリーダ１０３（図３（ａ）参照）に接続されている。ランプ制御部１０９は、ヘッド部１０１（図３（ａ）参照）に配された表示ランプ１０１ｃ（図３（ｂ）参照）を制御する。通知制御部１１０は、通知部１０２（図３（ａ）参照）を制御する。パスポートリーダ１０３は、パスポートＰのＩＣチップＰ１に記憶された情報を読み取る。
【００５２】
ブース１ＰＯＥスイッチ９０２は、他の２つの照合装置１００に対して、それぞれ図８（ａ）と同様に接続されている。また、ブース２ＰＯＥスイッチ９０３は、３つの照合装置１００に対して、ぞれぞれ、図８（ａ）と同様に接続されている。
【００５３】
図８（ｂ）は、ゲートＰＯＥスイッチ９０４と、ゲート装置３１０との接続形態を示す図である。ゲートＰＯＥスイッチ９０４は、ゲート装置３１０に配されたカメラ３１４（図６参照）と、ランプ制御部３１６と、ゲートフラッパー制御部３１７と接続されている。ランプ制御部３１６は、ゲート装置３１０（図６参照）に配されたランプ３１５を制御する。ゲートフラッパー制御部３１７は、ゲート装置３１０（図６参照）に配された回転軸３１１ａ、３１２ａを制御する。ゲートＰＯＥスイッチ９０４は、ゲート装置３２０に対して、図８（ｂ）と同様に接続されている。ゲート装置３２０も図８（ｂ）と同様の構成を備える。
【００５４】
次に、図９（ａ）を参照して、ブースサーバ５００における本人確認処理について説明する。この処理は、ブースサーバ５００の制御部５０１が行う。図９（ａ）には、ブースサーバ５００が制御を受け持つ３つの照合装置１００のうち一つの照合装置１００に対する本人認証のための処理が示されている。他の２つの照合装置１００に対する本人認証のための処理も以下と同様である。また、ブースサーバ６００における本人認証処理も、以下と同様である。
【００５５】
制御部５０１は、パスポートリーダ１０３上面の読取領域１０３ａにパスポートＰが置かれるのを待つ（Ｓ１０１）。上記のように、読取領域１０３ａ上面にはタッチセンサが配置されている。制御部５０１は、タッチセンサの出力を監視して、読取領域１０３ａにパスポートＰが置かれたか否かを判定する。読取領域１０３ａにパスポートＰが置かれていない状態（待機状態）では、パスポートリーダ１０３上面の一対のランプ部１０３ｂが点滅している。
【００５６】
パスポートリーダ１０３上面の読取領域１０３ａにパスポートＰが置かれると（Ｓ１０１：ＹＥＳ）、制御部５０１は、パスポートリーダ１０３を制御して、パスポートＰのＩＣチップＰ１に記憶された各種情報を読み取る（Ｓ１０２）。このとき、制御部５０１は、ＩＣチップＰ１から読み取った情報を記憶部５０３に記憶させる。その後、制御部５０１は、顔認証ユニット５０４と協働した顔照合処理を開始する（Ｓ１０３）。さらに、制御部５０１は、ランプ制御部１０９を制御して、ヘッド部１０１の表示ランプ１０１ｃを青色で点灯させる（Ｓ１０４）。また、制御部５０１は、パスポートリーダ１０３上面のランプ部１０３ｂを点灯状態に切り替える。
【００５７】
顔照合処理において、制御部５０１は、カメラ１０１ｂ、１０８を制御して、パスポートリーダ１０３に向き合う渡航者Ｔの顔画像を、所定の時間間隔で撮像する。制御部５０１は、各撮像タイミングで撮像した２つの顔画像を、順次、記憶部５０３に記憶させる。制御部５０１は、ＩＣチップＰ１から取得した顔画像を顔認証ユニット５０４に送信し、さらに、最初の撮像タイミングで撮像した２つの顔画像を顔認証ユニット５０４に送信する。
【００５８】
顔認証ユニット５０４は、受信した顔画像から顔の特徴を抽出して、撮像された２つの顔画像の少なくとも一方がＩＣチップＰ１から取得された顔画像に一致するか否かを判定し、判定結果を制御部５０１に送信する。制御部５０１は、受信した判定結果により、顔照合の適否を判定する（Ｓ１０５）。撮像した２つの顔画像が何れもＩＣチップＰ１に記憶された顔画像に一致しない場合（Ｓ１０５：ＮＯ）、制御部５０１は、タイムアウトか否か（顔照合の開始から所定時間が経過したか否か）を判定する（Ｓ１０６）。タイムアウトでなければ（Ｓ１０６：ＮＯ）、制御部５０１は、次の撮像タイミングで撮像した２つの顔画像を顔認証ユニット５０４に送信して、顔照合の適否を判定する（Ｓ１０５）。こうして、制御部５０１は、各撮像タイミングで撮像した顔画像に対する顔照合を繰り返す。なお、Ｓ１０６では、所定回数、撮像または顔照合が行われたか否かでタイムアウトが判定されても良い。
【００５９】
所定の撮像タイミングで撮像した２つの顔画像の少なくとも一方がＩＣチップＰ１から取得した顔画像に一致すると（Ｓ１０６：ＹＥＳ）、制御部５０１は、パスポートリーダ１０３に向き合う渡航者ＴがパスポートＰの正当な所持者（本人）であるとして、顔照合処理を終了する（Ｓ１０７）。そして、制御部５０１は、パスポートＰから取得した顔画像と、この顔画像に一致すると判定された撮像タイミングの顔画像をゲートサーバ７００に送信する（Ｓ１０８）。
【００６０】
Ｓ１０８では、カメラ１０１ｂ、１０８でそれぞれ撮像された２つの顔画像のうち、パスポートＰから取得した顔画像に一致する一方の顔画像のみならず、一致しなかった他方の顔画像もまた、ゲートサーバ７００に送信される。また、これらの顔画像とともに、本人確認処理が行われた照合装置１００の識別番号１０１ａとパスポートＰを特定する情報（パスポートＩＤ）がゲートサーバ７００に送信される。さらに、制御部５０１は、通知制御部１１０を制御して、顔照合が一致であった場合の所定の通知を通知部１０２に表示させる（Ｓ１０９）。また、制御部５０１、パスポートリーダ１０３上面のランプ部１０３ｂを消灯状態に切り替える。
【００６１】
他方、顔照合が一致と判定されることなく（Ｓ１０５：ＮＯ）、タイムアウトとなった場合（Ｓ１０６：ＹＥＳ）、制御部５０１は、顔照合処理を終了し（Ｓ１１０）、ランプ制御部１０９を制御して、ヘッド部１０１の表示ランプ１０１ｃの点灯色を青色から赤色に切り替える（Ｓ１１１）。さらに、制御部５０１は、通知制御部１１０を制御して、顔照合が不一致であった場合の通知を通知部１０２に表示させる（Ｓ１１２）。また、制御部５０１、パスポートリーダ１０３上面のランプ部１０３ｂを消灯状態に切り替える。
【００６２】
なお、図９（ａ）のＳ１０８において、顔画像を含む情報がゲートサーバ７００に送信されると、ゲートサーバ７００において、図９（ｂ）の処理が実行される。ゲートサーバ７００の制御部７０１は、ブースサーバ５００（または、ブースサーバ６００）から顔画像を含む情報を受信すると（Ｓ２０１：ＹＥＳ）、この情報を記憶部７０３に記憶させ、顔照合に使用する顔画像の参照対象を設定する（Ｓ２０２）。さらに、制御部７０１は、受信した情報に基づいて、カウンター５０のゲートモニタ５１に表示される画面（以下、「ゲート画面」と称する）を更新する（Ｓ２０３）。ゲート画面の構成については、追って、図１２を参照して説明する。
【００６３】
次に、図１０（ａ）〜（ｃ）を参照して、図９（ａ）の本人確認処理が行われた場合の照合装置１００の動作を説明する。図１０（ａ）〜（ｃ）の上段、中段および下段には、それぞれ、ヘッド部１０１、通知部１０２およびパスポートリーダ１０３の状態が模式的に示されている。
【００６４】
読取領域１０３ａにパスポートＰが置かれていない待ち受け状態では、上記のとおりランプ部１０３ｂは点滅状態に設定されている。このとき、ヘッド部１０１の表示ランプ１０１ｃは消灯状態にある。また、通知部１０２には、如何なる通知もなされていない。
【００６５】
待ち受け状態において、渡航者ＴがパスポートＰを読取領域１０３ａに載置し、これがパスポートリーダ１０３によって検知されると、図１０（ａ）の下段に示すように、パスポートリーダ１０３のランプ部１０３ｂが、点滅状態から点灯状態に切り替わる。また、図１０（ａ）の上段に示すように、ヘッド部１０１の表示ランプ１０１ｃが青色で点灯する。このとき、通知部１０２は、図１０（ａ）の中段に示すように、非通知状態に維持される。
【００６６】
その後、図９（ａ）のＳ１０３〜Ｓ１０６による顔照合処理により、顔照合が一致と判定されると、図１０（ｂ）の中段に示すように、通知部１０２に、顔照合が一致であった場合の所定の通知がなされる。ここでは、渡航者Ｔにゲート４０へ進むことを促す通知文が通知部１０２に表示される。このとき、ヘッド部１０１の表示ランプ１０１ｃは、図１０（ｂ）の上段に示すように、青色の点灯状態のままである。また、図１０（ｂ）の下段に示すように、パスポートリーダ１０３のランプ部１０３ｂは点灯状態から消灯状態に切り替わる。
【００６７】
図１０（ｂ）の中段に示す通知を受けて、渡航者Ｔは、読取領域１０３ａからパスポートＰを取り除き、ゲート４０へと進む。こうして、読取領域１０３ａからパスポートＰが取り除かれると、ヘッド部１０１、通知部１０２およびパスポートリーダ１０３は、待ち受け状態に戻される。
【００６８】
他方、図９（ａ）のＳ１０３〜Ｓ１０６による顔照合処理により、顔照合が不一致であると判定されると、図１０（ｃ）の中段に示すように、通知部１０２に、顔照合が不一致であった場合の所定の通知がなされる。ここでは、渡航者Ｔに係員を待つことを促す通知文が通知部１０２に表示される。このとき、ヘッド部１０１の表示ランプ１０１ｃは、図１０（ｃ）の上段に示すように、点灯色が青色から赤色に切り替わる。また、図１０（ｃ）の下段に示すように、パスポートリーダ１０３のランプ部１０３ｂは点灯状態から消灯状態に切り替わる。
【００６９】
図１０（ｃ）の中段に示す通知を受けて、渡航者Ｔは、係員Ｍ１（図２参照）が来るのを待つ。ヘッド部１０１は、照合装置１００の最も高い位置にあるため、係員Ｍ１は、閉領域３０（図２参照）内の照合装置１００から離れた位置からも、ヘッド部１０１の表示ランプ１０１ｃを見通すことができる。したがって、係員Ｍ１は、照合装置１００から離れた位置においても、ヘッド部１０１の表示ランプ１０１ｃの点灯状態によって、顔照合の進行状況や、顔照合の判定結果を把握することが可能である。
【００７０】
係員Ｍ１は、図１０（ｃ）の上段のようにヘッド部１０１の表示ランプ１０１ｃが赤色で点灯することを見て、顔照合が不一致であったことを把握し、渡航者Ｔに近づいて渡航者Ｔを補助する。具体的には、係員Ｍ１は、顔照合が不一致であったことを渡航者Ｔに説明し、審査官Ｅ２（図２参照）による出国審査を受けることを渡航者Ｔに促す。そして、係員Ｍ１は、渡航者Ｔを出口３３からレーン２１へと誘導する。
【００７１】
係員Ｍ１からの補助により、渡航者Ｔは、読取領域１０３ａからパスポートＰを取り除き、出口３３からレーン２１へと進む。こうして、読取領域１０３ａからパスポートＰが取り除かれると、ヘッド部１０１、通知部１０２およびパスポートリーダ１０３は、待ち受け状態に戻される。
【００７２】
次に、図１１（ａ）を参照して、ゲートサーバ７００におけるフラッパーの開閉制御について説明する。この制御は、ゲートサーバ７００の制御部７０１が行う。図１１（ａ）には、ゲートサーバ７００が制御を受け持つ２つのゲート装置３１０、３２０の一方に対する制御が示されている。他方の制御も以下と同様に行われる。ここでは、便宜上、制御対象がゲート装置３１０であるとして説明を行う。
【００７３】
制御部７０１は、カメラ３１４からの撮像画像に基づいて人検出を行い、ゲート装置３１０の入口に渡航者Ｔが接近したか否かを判定する（Ｓ２１１）。ゲート装置３１０の入口に渡航者Ｔが接近すると（Ｓ２１１：ＹＥＳ）、制御部７０１は、顔認証ユニット７０４と協働した顔照合処理を開始する（Ｓ２１２）。
【００７４】
顔照合処理において、制御部７０１は、カメラ３１４を制御して、ゲート装置３１０へと進む渡航者Ｔの顔画像を、所定の時間間隔で撮像する。制御部７０１は、各撮像タイミングで撮像した顔画像を、順次、記憶部７０３に記憶させる。以下、カメラ３１４により撮像された顔画像を、「ゲート顔画像」と称する。
【００７５】
また、制御部７０１は、図９（ｂ）の処理によりブースサーバ５００、６００から取得した顔画像を記憶部７０３から読み出して顔認証ユニット７０４に送信する。上記のように、ブースサーバ５００、６００から取得される顔画像には、照合装置１００においてパスポートＰから読み取った顔画像と、照合装置１００においてカメラ１０１ｂ、１０８で撮像した２つの顔画像が含まれる。これら３種類の顔画像が、ゲート装置３１０において顔照合の際に参照される顔画像に設定される。以下、これら３種類の顔画像を、「参照顔画像」と称する。
【００７６】
なお、記憶部７０３には、何れかの照合装置１００により顔照合が一致と判定され、且つ、ゲート４０を未だ通過していない渡航者Ｔ（以下、これらの渡航者を特に「未通過渡航者Ｔ」と称する）の人数分の参照顔画像が記憶されている。制御部７０１は、全ての未通過渡航者Ｔの参照顔画像を記憶部７０３から読み出して顔認証ユニット７０４に送信する。さらに、制御部７０１は、最初の撮像タイミングにおいてカメラ３１４で撮像したゲート顔画像を顔認証ユニット７０４に送信する。
【００７７】
顔認証ユニット７０４は、受信した顔画像から顔の特徴を抽出して、ゲート顔画像が、各未通過渡航者の３つの参照顔画像の少なくとも一つに一致するか否かを判定し、判定結果を制御部７０１に送信する。制御部７０１は、受信した判定結果により、顔照合の適否を判定する（Ｓ２１３）。ゲート顔画像が各未通過渡航者の何れの参照顔画像にも一致しない場合（Ｓ２１３：ＮＯ）、制御部７０１は、タイムアウトか否か（顔照合の開始から所定時間が経過したか否か）を判定する（Ｓ２１４）。タイムアウトでなければ（Ｓ２１４：ＮＯ）、制御部７０１は、次の撮像タイミングで撮像したゲート顔画像を顔認証ユニット７０４に送信して、当該ゲート顔画像が各未通過渡航者の３つの参照顔画像の少なくとも一つに一致するか否かを判定する（Ｓ２１３）。こうして、制御部７０１は、各撮像タイミングで撮像したゲート顔画像に対する顔照合を繰り返す。なお、Ｓ２１４では、所定回数、撮像ないし顔照合が行われたか否かでタイムアウトが判定されても良い。
【００７８】
所定の撮像タイミングで撮像したゲート顔画像が参照顔画像の少なくとも一つに一致すると（Ｓ２１３：ＹＥＳ）、制御部７０１は、ゲート装置３１０に向かう渡航者ＴがパスポートＰの正当な所持者（本人）であるとして、顔照合処理を終了する（Ｓ２１５）。そして、制御部７０１は、ランプ制御部３１６を制御して、カメラ３１４の上部に設置されたランプ３１５を青色に点灯させる（Ｓ２１６）。さらに、制御部７０１は、カウンター５０に設置されたゲートモニタ５１上のゲート画面を、顔照合が一致であった場合の画面を含むように更新する（Ｓ２１７）。そして、制御部７０１は、ゲートフラッパー制御部３１７を制御して、ゲート装置３１０のフラッパー３１１ｂ、３１２ｂを開放する（Ｓ２１８）。こうして、ゲート装置３１０が通過可能となる。
【００７９】
他方、顔照合が一致と判定されることなく（Ｓ２１３：ＮＯ）、タイムアウトとなった場合（Ｓ２１４：ＹＥＳ）、制御部７０１は、顔照合処理を終了し（Ｓ２１９）、ランプ制御部３１６を制御して、カメラ３１４の上部に設置されたランプ３１５の点灯色を青色から赤色に切り替える（Ｓ２２０）。さらに、制御部７０１は、カウンター５０に設置されたゲートモニタ５１上のゲート画面を、顔照合が不一致である場合の画面を含むように更新する（Ｓ２２１）。この場合、ゲート装置３１０は、フラッパー３１１ｂ、３１２ｂが開放されることなく、通過不可の状態に維持される。
【００８０】
次に、図１２を参照して、ゲートモニタ５１上に表示されるゲート画面４００について説明する。
【００８１】
ゲート画面４００は、領域４０１、４０２、４０３を備える。領域４０１には、照合装置１００により顔照合が一致と判定され、且つ、ゲート４０を未通過の渡航者Ｔ、すなわち、未通過渡航者Ｔの顔画像４０１ａの一覧が表示される。顔画像４０１ａは、３つの参照顔画像のうち、パスポートＰから読み取られた顔画像が用いられる。あるいは、照合装置１００により撮像された２つの顔画像のうちパスポートＰから読み取られた顔画像に一致する顔画像が顔画像４０１ａとして用いられても良い。
【００８２】
各顔画像４０１ａの上側と下側には、それぞれ、各渡航者に対して顔照合がなされた照合装置の位置（ブース番号）と、顔照合がなされた時刻が付記されている。時刻は、ゲートサーバ７００がブースサーバ５００、６００から参照顔画像および照合装置１００の識別番号を受信した時刻に基づいて付記され、ブース番号は、受信した照合装置１００の識別番号に基づいて付記される。
【００８３】
図９（ｂ）のＳ２０３においては、領域４０１に表示される画像が更新される。ゲートサーバ７００の制御部７０１は、新たな未通過渡航者Ｔについて参照顔画像を含む情報を受信すると、受信した参照顔画像をもとに、当該未通過渡航者Ｔの顔画像４０１ａを領域４０１に追加する。
【００８４】
領域４０２には、ゲート装置３１０における顔照合結果が表示される。図１２の例では、領域４０２に、顔照合が一致である場合の画面（以下、「通過ＯＫ画面」という）が表示されている。通過ＯＫ画面は、ゲート装置３１０を特定するための標記４０２ａと、３つの顔画像領域４０２ｂ〜４０２ｄと、ゲート通過が可能であることを示すマーク４０２ｅと、ゲート通過が可能であることを示すテキスト４０２ｆを含む。ここでは、ゲート装置３１０がＡゲートに設定されている。顔画像領域４０２ｂ〜４０２ｄには、それぞれ、パスポートＰから読み取られた顔画像、照合装置１００で撮像された画像、ゲート装置３１０で撮像された顔画像が表示される。顔画像領域４０２ｃには、照合装置１００の２つのカメラ１０１ｂ、１０８で撮像された顔画像のうち、パスポートＰから読み取られた顔画像に一致する顔画像が表示される。
【００８５】
領域４０３には、ゲート装置３２０における顔照合結果が表示される。図１２の例では、領域４０３に、顔照合が不一致である場合の画面（以下、「通過ＮＧ画面」という）が表示されている。通過ＮＧ画面は、ゲート装置３２０を特定するための標記４０３ａと、３つの顔画像領域４０３ｂ〜４０３ｄと、ゲート通過が不可であることを示すマーク４０３ｅと、ゲート通過が不可であることを示すテキスト４０３ｆと、手動開放ボタン４０３ｇを含む。ここでは、ゲート装置３２０がＢゲートに設定されている。通過ＮＧ画面では、顔画像領域４０３ｂ、４０３ｃに顔画像が表示されない。顔画像領域４０３ｄには、ゲート装置３２０で撮像された顔画像が表示される。手動開放ボタン４０３ｇが押されると、手動開放ボタン４０３ｇのフラッパー３２１ｂ、３２２ｂが開放される。
【００８６】
なお、ゲート装置３１０における顔照合結果が不一致である場合、領域４０２には通過ＮＧ画面が表示される。また、ゲート装置３２０における顔照合結果が一致である場合、領域４０３には通過ＯＫ画面が表示される。通過ＯＫ画面は、背景色が緑色であり、通過ＮＧ画面は、背景色が赤色である。
【００８７】
図１１（ａ）のＳ２１７、Ｓ２２１においては、領域４０２、４０３に表示される画面が更新される。ゲートサーバ７００の制御部７０１は、Ｓ２１７において、領域４０２、４０３の何れかに通過ＯＫ画面を表示し、また、Ｓ２２１において、領域４０２、４０３の何れかに通過ＮＧ画面を表示する。
【００８８】
カウンター５０に配置された審査官Ｅ１（図２参照）は、ランプ３１５、３２５（図６参照）の点灯色と、領域４０２、４０３に表示された画面を参照することにより、ゲート装置３１０、３２０における顔照合結果が一致であったか否かを把握することができる。図１２の例では、ランプ３１５は緑色で点灯し、ランプ３２５は赤色で点灯する。この場合、ゲート装置３１０は、フラッパー３１１ｂ、３１２ｂが開放され、通過可能である。ゲート装置３１０へと進んだ未通過渡航者Ｔは、ゲート装置３１０を通って、出口６１（図２参照）へと進む。審査官Ｅ１は、ランプ３１５の点灯色と領域４０２の表示を参照しながら、未通過渡航者Ｔのゲート通過を許容する。
【００８９】
他方、図１２の例では、ゲート装置３２０は、フラッパー３２１ｂ、３２２ｂが閉じられ、通過不可能となっている。この場合、審査官Ｅ１は、領域４０３の顔画像領域４０３ｄに表示された顔画像と領域４０１に表示された未通過渡航者Ｔの顔画像４０１ａとを比較して、ゲート装置３２０へと進もうとする渡航者Ｔが未通過渡航者Ｔの何れかであるか否かを確認する。そして、ゲート装置３２０へと進もうとする渡航者Ｔが未通過渡航者Ｔの何れかであることを確認すると、審査官Ｅ１は、領域４０３中の手動開放ボタン４０３ｇを操作し、ゲート装置３２０のフラッパー３２１ｂ、３２２ｂを開放する。こうして、ゲート装置３２０が通過可能となる。渡航者Ｔは、ゲート装置３２０を通過して、カウンター５０へと進む。審査官Ｅ１は適宜、渡航者ＴにパスポートＰの提示を求めて、出国審査を行う。あるいは、渡航者Ｔにそのまま出口６１へ進むことを促し、渡航者Ｔの出国を許容する。
【００９０】
他方、ゲート装置３２０へと進もうとする渡航者Ｔが未通過渡航者Ｔの何れにも一致しないことを確認すると、審査官Ｅ１は、係員Ｍ１（図２参照）に渡航者Ｔの誘導を依頼する。係員Ｍ１は、渡航者Ｔに状況を説明し、適宜、出口３３へと誘導する。あるいは、渡航者Ｔが未だ照合装置１００による顔照合を受けていないような場合には、渡航者Ｔを照合装置１００へと誘導する。
【００９１】
次に、図１１（ｂ）を参照して、未通過渡航者Ｔがゲート３１０を通過した場合のゲートサーバ７００における処理について説明する。この処理は、ゲートサーバ７００の制御部７０１によって行われる。
【００９２】
図１２の例において、未通過渡航者Ｔがゲート装置３１０を通過すると（Ｓ２３１：ＹＥＳ）、制御部７０１は、ゲート装置３１０のフラッパー３１１ｂ、３１２ｂを閉塞し（Ｓ２３２）、さらに、ランプ３１５を消灯する（Ｓ２３３）。また、制御部７０１は、顔画像領域４０２ｂ〜４０２ｄに表示された顔画像に対応する３つの参照顔画像を記憶部７０３から消去する（Ｓ２３４）。さらに、制御部７０１は、未通過渡航者Ｔの通過が反映されるよう、ゲート画面４００を更新する（Ｓ２３５）。ここでは、領域４０２から、３つの顔画像と、マーク４０２ｅおよびテキスト４０２ｆが消去され、領域４０２の背景色がグレイに設定される。また、領域４０１から当該未通過渡航者Ｔに対応する顔画像４０１ａが消去される。
【００９３】
なお、ゲート装置３２０が通過可能状態である場合に、ゲート装置３２０を未通過渡航者Ｔが通過すると、図１１（ｂ）の処理により、記憶部７０３における情報の消去と、ゲート画面４００の更新が行われる。
【００９４】
＜実施形態の効果＞
本実施の形態によれば、以下の効果が奏され得る。
【００９５】
パスポートリーダ１０３によってパスポートＰから読み取られた顔画像が、照合装置１００のカメラ１０１ｂ、１０８によって取得された２つの顔画像の何れかに一致する場合に、これら３つの顔画像が参照顔画像に設定される。そして、これら参照顔画像と、ゲート装置３１０、３２０に配されたカメラ３１４、３２４によって取得されたゲート顔画像とが照合されて、ゲートに進む渡航者Ｔのゲート通過の可否が決定される。このように、照合装置１００を介して事前に本人確認が行われ、さらに、この本人確認によって設定された参照顔画像と、ゲートで取得されたゲート顔画像とが照合されて、ゲート通過の可否が決定されるため、パスポートＰの正当な所持者（本人）のみがゲート４０を通過可能となる。よって、不正なゲート通過を防止できる。また、パスポートＰの正当な所持者は、予め、照合装置１００において、顔照合が一致であることの確認を経た後にゲート４０に進むため、当該顔照合により設定された参照顔画像と、ゲート４０において取得された当該所持者のゲート顔画像とが互いに一致する確率はかなり高くなり、通常は、ゲート４０の通過が許可される。よって、パスポートＰの正当な所持者は、ゲート４０において通過が拒否されることなく円滑に、ゲート４０を通過することができる。
【００９６】
ゲート４０における顔照合が不一致であったことが、ランプ３１５、３２５の点灯色によって報知される。これにより、審査官Ｅ１および係員Ｍ１は、ゲート４０に向かう渡航者Ｔに対して適切かつ迅速な対応をとることができる。
【００９７】
照合装置１００において、２つのカメラ１０１ｂ、１０８で上下に異なるアングルで渡航者Ｔの顔画像が撮像されて顔照合がなされる。これにより、顔の向きが上下に変化しても顔照合が一致とされる確率が高くなり、照合装置１００における顔照合を効率的に進めることができる。
【００９８】
カメラ１０１ｂ、１０８により異なるアングルで撮像された２つの顔画像の一方がパスポートＰの顔画像と一致する場合、撮像された２つの顔画像の両方が参照顔画像に設定され、ゲート４０における顔照合に供される。このように、異なるアングルの顔画像をゲート４０における顔照合に供されるため、ゲート４０における顔照合が一致とされる確率が高くなり、ゲート４０における顔照合を効率的に進めることができる。
【００９９】
カメラ１０８がパスポートリーダ１０３の上側周辺に配置されているため、渡航者Ｔは、パスポートリーダ１０３にパスポートＰを読み取らせる際に、顔がカメラ１０８に正対向し易くなる。このため、カメラ１０８によって正面視の顔画像が取得され易くなり、カメラ１０８によって取得された顔画像とパスポートＰの顔画像とが一致し易くなる。よって、照合装置１００における顔照合を効率的に進めることができる。
【０１００】
照合装置１００において、顔照合が一致と判定されなかった場合、通知部１０２に対応方法に関する通知文（図１０（ｃ）の中段参照）が表示される。また、顔照合が一致と判定された場合も、通知部１０２に次の進行に関する通知文（図１０（ｂ）の中段参照）が表示される。これにより、渡航者Ｔは、その後の対応を円滑に進めることができる。
【０１０１】
照合装置１００において、顔照合が一致と判定されなかった場合、離れた位置からも見通し可能な表示ランプ１０１ｃが赤で点灯し、顔照合が不一致であったことが係員Ｍ１に報知される。これにより、係員Ｍ１は、渡航者Ｔを待たせることなく速やかに補助することができる。
【０１０２】
一つの閉領域３０に６つの照合装置１００が割り当てられ、且つ、閉領域３０において渡航者Ｔの進行を規制するレーンが設けられていない。このため、渡航者Ｔは、６つの照合装置１００に任意にアクセスでき、照合装置１００による顔照合を円滑かつ効率的に進めることができる。よって、自動化ゲートシステムにおける渡航者Ｔの滞留を抑制することができ、自動化ゲートシステムによる出国手続きを迅速に進めることができる。
【０１０３】
＜変更例１＞
変更例１では、照合装置１００において撮像された顔画像が、他地域の自動化ゲートシステムの顔照合において利用される。
【０１０４】
図１３は、変更例１の構成を示す図である。図１３に示すように、変更例１では、国内外の複数の地域（空港）に上記実施の形態で示した自動化ゲートシステムが配置されている。そして、各地域の自動化ゲートシステムに配置されたブースサーバ５００、６００が、インターネット等のネットワーク通信網１０００を介して互いに接続されている。上記実施の形態と同様、ブースサーバ５００、６００は、各地域の自動化ゲートシステムの照合装置１００を制御する。
【０１０５】
なお、各地域の自動化ゲートシステムは、出国ゲートに限らず、入国ゲートにも配置されている。出国ゲートに設置された自動化ゲートシステムを基準とすると、同一地域の入国ゲートに設置された自動化ゲートシステムも他地域の自動化ゲートシステムとして扱われる。
【０１０６】
たとえば、所定の地域に配置された自動化ゲートシステム（出国ゲート）において、未通過渡航者Ｔがゲート４０を通過すると、その旨を示す通知が、当該未通過渡航者Ｔの参照顔画像に対応づけられたパスポート特定情報（パスポートＩＤ）とともに、ゲートサーバ７００から、同一地域のブースサーバ５００、６００のうち当該未通過渡航者Ｔの顔照合を行ったブースサーバに送信される。たとえば、ゲート４０を通過した未通過渡航者Ｔに対して顔照合を行った照合装置１００がブースサーバ５００によって制御される場合、上記通知とパスポート特定情報は、ブースサーバ５００に送信される。
【０１０７】
図１４（ａ）は、同一地域のブースサーバ５００がゲートサーバ７００から上記通知とパスポート特定情報を受信した場合の処理を示す図である。この処理は、ブースサーバ５００の制御部５０１によって行われる。
【０１０８】
同一地域のブースサーバ５００の制御部５０１は、上記通知とパスポート特定情報とを受信すると（Ｓ１２１：ＹＥＳ）、カメラ１０１ｂ、１０８で撮像した顔画像のうちパスポート特定情報に対応付けられた顔画像を記憶部５０３から読み出し、読み出した顔画像をパスポート特定情報とともに、他地域のブースサーバ５００、６００に送信する（Ｓ１２２）。このとき送信されるパスポート特定情報は、パスポートＩＤの他、パスポートＰの所有者の氏名、住所、生年月日等、ＩＣチップＰ１から読み出されたパスポートＰを特定する他の情報が含まれても良い。また、これらの情報は、同一地域に配置された他のブースサーバ６００にも送信され、記憶される。
【０１０９】
図１４（ｂ）は、図１４（ａ）の処理により他地域のブースサーバ５００、６００が顔画像とパスポート特定情報を受信した場合の処理を示す図である。この処理は、他地域のブースサーバ５００、６００の制御部５０１、６０１によって行われる。
【０１１０】
他地域のブースサーバ５００、６００の制御部５０１、６０１は、ネットワーク通信網１０００を介してある地域から顔画像とパスポート特定情報を受信すると（Ｓ１３１：ＹＥＳ）、受信した顔画像とパスポート特定情報を記憶部５０３、６０３に記憶させる（Ｓ１３２）。こうして、顔画像とパスポート特定情報が、ネットワーク通信網１０００で接続された各地域のブースサーバ５００、６００において共有される。
【０１１１】
図１５（ａ）、（ｂ）は、各地域のブースサーバ５００における本人確認処理を示すフローチャートである。ここでは、図９（ａ）のフローチャートに対し、Ｓ１４１が追加され、Ｓ１０８が修正されている。その他のステップは図９（ａ）と同様である。ブースサーバ６００における本人確認処理も、図１５（ａ）、（ｂ）と同様に修正される。
【０１１２】
ブースサーバ５００の制御部５０１は、Ｓ１０２においてパスポートＰから情報を読み取ると、さらに、読み取った情報中のパスポート特定情報を参照情報として、記憶部５０３を探索する（Ｓ１４１）。この探索において、制御部５０１は、パスポート特定情報に対応付けられた顔画像（他地域の顔照合処理で撮像された顔画像）が記憶部５０３に記憶されているか否かを調べる。そして、パスポート特定情報に対応付けられた顔画像が記憶部５０３に記憶されている場合、制御部５０１は、この顔画像を記憶部５０３から読み出して、照合装置１００における顔照合に用いる。
【０１１３】
すなわち、Ｓ１０３において顔照合を開始すると、制御部５０１は、カメラ１０１ｂ、１０８で撮像した顔画像の少なくとも一方が、パスポートＰから読み取った顔画像または記憶部５０３から読み出した顔画像に一致するか否かを判定する（図９（ａ）のＳ１０５）。そして、２つの顔画像が一致する場合（Ｓ１０５：ＹＥＳ）、制御部５０１は、パスポートＰから読み取った顔画像およびカメラ１０１ｂ、１０８で撮像した顔画像と、記憶部５０３から読み出した顔画像をゲートサーバ７００に送信する（Ｓ１０８）。こうして、これらの顔画像が、ゲート４０の顔照合において参照される参照顔画像に設定される。つまり、本変更例では、参照顔画像に、記憶部５０３から読み出した顔画像がさらに含まれる。
【０１１４】
ゲートサーバ７００は、こうして設定された参照顔画像に基づいて、ゲート４０における顔照合とフラッパーの開閉制御を行う。ゲート４０における制御は、記憶部５０３から読み出した顔画像が参照顔画像に含まれること以外は、図１１（ａ）と同様である。
【０１１５】
変更例１によれば、照合装置１００における顔照合に記憶部５０３、６０３に記憶された顔画像がさらに用いられるため、顔照合が一致と判定される確率がさらに高まる。つまり、上記実施の形態では、パスポートＰから読み出された顔画像のみがカメラ１０１ｂ、１０８で撮像された顔画像と比較されるため、パスポートＰに記憶された顔画像が古く、加齢等によってパスポート所持者の顔に変化があるような場合には、照合装置１００における顔照合が不一致と判定され易い。これに対し、変更例１では、パスポートＰに記憶された時点よりも現在に近い時点の顔画像が記憶部５０３、６０３に記憶され、これが、照合装置１００における顔照合にさらに利用される。よって、照合装置１００における顔照合が一致と判定される確率が高まり、渡航者Ｔに対する本人か確認をより効率的に行うことができる。また、ゲート４０における顔照合も同様に、顔照合が一致と判定される確率が高まるため、ゲート４０の通過を効率化することができる。
【０１１６】
たとえば、出国した渡航者Ｔが、海外に短期間滞在し、その間に日焼けや散髪をした後に、本国に入国するような場合、入国時の顔画像がパスポートＰの顔画像と一致しないと判定され易い。変更例１では、このような場合にも、出国の際に撮像され記憶された顔画像が顔照合に用いられるため、顔照合が一致と判定され易くなる。
【０１１７】
なお、ブースサーバ５００、６００における顔画像とパスポート特定情報の消去は、たとえば、図１５（ｃ）に示すように、記憶時から一定期間が経過することにより行われ得る（Ｓ１５１：ＹＥＳ、Ｓ１５２）。この場合、渡航者Ｔが複数回渡航し、同じパスポート特定情報に対して複数の顔画像が対応付けられて記憶されている場合には、記憶時から一定時間が経過した顔画像のみが消去され、他の顔画像は記憶部５０３、６０３に保持される。顔照合には、記憶部５０３、６０３に記憶された最新の顔画像が用いられても良く、記憶部５０３、６０３に記憶された全ての顔画像が用いられても良い。
【０１１８】
＜その他の変更例＞
実施の形態では、パスポートＰから読み取られた顔画像と、カメラ１０１ｂ、１０８で撮像された顔画像の両方が、ゲート４０の顔照合に用いる参照顔画像に設定されたが、何れか一方のみが参照顔画像に設定されても良い。たとえば、カメラ１０１ｂ、１０８で撮像された顔画像のみが参照顔画像に設定されても良い。
【０１１９】
また、パスポートＰから読み取られた顔画像に一致する顔画像の撮像タイミングの前後一定時間にカメラ１０１ｂ、１０８で撮像された顔画像が参照顔画像にさらに含まれても良い。こうすると、ゲート４０における顔照合が適正と判定され易くなる。
【０１２０】
実施の形態では、参照顔画像に設定された３つの顔画像の何れか一つがゲート装置３１０、３２０のカメラ３１４、３２４で撮像された顔画像に一致するか否かによってゲート４０の通過可否が決定されたが、参照顔画像に設定された３つの顔画像のうち、パスポートＰから取得された顔画像と照合装置１００によって撮像された２つの顔画像の何れか一方がカメラ３１４、３２４で撮像された顔画像に一致するかが判定されても良く、あるいは、参照顔画像に設定された３つの顔画像が全て、カメラ３１４、３２４で撮像された顔画像に一致するかが判定されても良い。
【０１２１】
実施の形態では、パスポートＰがパスポートリーダ１０３に置かれた後にカメラ１０１ｂ、１０８で顔画像が撮像された。この方法に代えて、渡航者Ｔが照合装置１００の前に到達したことが検出されたことに応じてカメラ１０１ｂ、１０８による顔画像の撮像が開始されても良い。この場合、パスポートＰがパスポートリーダ１０３に置かれたことに応じて、それまでに撮像された顔画像とパスポートＰから読み取った顔画像とが比較され、照合処理が実行される。
【０１２２】
実施の形態では、出国ゲートに自動化ゲートシステムが設置された例が示されたが、入国ゲートに自動化ゲートシステムが設置された場合も、本発明を適用可能である。
【０１２３】
実施の形態では、ブースサーバ５００、６００とゲートサーバ７００が事務所に設置されて、照合装置１００とゲート装置３１０、３２０が制御されたが、照合装置１００とゲート装置３１０、３２０を制御する制御装置が審査エリアに配置されても良く、事務所に設置された制御装置と審査エリアに設置された制御装置が協働して照合装置１００とゲート装置３１０、３２０を制御しても良い。また、ブースサーバ５００、６００とゲートサーバ７００を一つのサーバに統合しても良い。
【０１２４】
実施の形態では、顔認証ユニット５０４、６０４、７０４が配されたが、予め、顔認証ユニット５０４、６０４、７０４の機能がブースサーバ５００、６００とゲートサーバ７００に装備されていても良い。この場合、顔認証ユニット５０４、６０４、７０４は省略される。
【０１２５】
実施の形態では、ゲート装置３１０、３２０に、それぞれ、フラッパー３１１ｂ、３１２ｂとフラッパー３２１ｂ、３２２ｂが設けられたが、ゲート装置３１０、３２０にフラッパーが設けられない形態も想定され得る。たとえば、ランプ３１５、３２５の点灯色を見て、渡航者Ｔがゲート装置３１０、３２０の通過の可否を判断しても良く、また、審査官Ｅ１または係員Ｍ１がゲート装置３１０、３２０の通過可否を渡航者Ｔに通告してゲート４０での通過整理を行うようにしても良い。
【０１２６】
また、ゲート通過の遮断手段は、フラッパーに限らず、バー等であっても良い。また、ゲート通過の可否の報知手段は、ランプ３１５、３２５に限らず、たとえば、音声による報知であっても良い。
【０１２７】
照合装置１００における照合結果は、表示ランプ１０１ｃに限らず、音声により伝達されても良い。あるいは、係員Ｍ１に無線端末を形態させて、この無線端末から照合装置１００における照合結果が係員Ｍ１に報知されても良い。
【０１２８】
実施の形態では、照合装置１００に、上下に異なるアングルで２つのカメラ１０１ｂ、１０８が設けられたが、カメラの配置はこれに限られない。たとえば、水平方向に異なるアングルでカメラが設けられても良く、３つ以上のカメラが配置されても良い。
【０１２９】
図１２のゲート画面４００では、たとえば、渡航者Ｔが照合装置１００における顔照合を受けた後にゲート４０を通過せずにレーン２１へと進んだような場合に、領域４０１に、未通過渡航者Ｔの顔画像４０１ａが消去されずに残る可能性がある。このような場合に対応可能なように、長時間消去されない顔画像４０１ａを審査官Ｅ１が消去可能とする構成が設けられることが好ましい。たとえば、審査官Ｅ１が一定時間領域４０１上の顔画像４０１をタッチし続けるとこの顔画像４０１ａが領域４０１から消去される構成が考えられる。また、領域４０１の広さには一定の制限があるため、領域４０１の顔画像４０１ａを適宜スクロールさせ得る構成が設けられても良い。
【０１３０】
また、上記実施の形態では、本人確認に用いられる生体情報が顔画像とされたが、指紋や声紋、静脈パターン等、他の生体情報がパスポートＰに記憶される場合には、これらの生体情報も本人確認に用いられ得る。ただし、顔画像は、渡航者Ｔに非接触で、且つ、渡航者Ｔが歩行していても取得できるため、自動化ゲートシステムの通過を円滑かつ効率的に行うためには、現時点で最適の生体情報であると言える。
【０１３１】
さらに、本発明は、空港でのゲートシステムに限らず、船舶に乗船する際のゲートシステム等、他のゲートシステムにも適用可能である。本発明の実施の形態は、上記以外に種々の変更が可能である。
【符号の説明】
【０１３２】
３０  …  閉領域
４０  …  ゲート
１００  …  照合装置
１０１ｂ、１０８  …  カメラ（第１の撮像部）
１０１ｃ  …  表示ランプ（伝達部）
１０２  …  通知部
１０３  …  パスポートリーダ（読取部）
３１０、３２０  …  ゲート装置（ゲート）
３１１ｂ、３１２ｂ、３２１ｂ、３２２ｂ  …  フラッパー（遮断機構）
３１４、３２４  …  カメラ（第２の撮像部）
３１５、３２５  …  ランプ（報知部）
５００、６００  …  ブースサーバ（制御部）
７００  …  ゲートサーバ（制御部）
【図１】
2016053896.tif 000003
【図２】
2016053896.tif 000004
【図３】
2016053896.tif 000005
【図４】
2016053896.tif 000006
【図５】
2016053896.tif 000007
【図６】
2016053896.tif 000008
【図７】
2016053896.tif 000009
【図８】
2016053896.tif 000010
【図９】
2016053896.tif 000011
【図１０】
2016053896.tif 000012
【図１１】
2016053896.tif 000013
【図１２】
2016053896.tif 000014
【図１３】
2016053896.tif 000015
【図１４】
2016053896.tif 000016
【図１５】
2016053896.tif 000017